(57)【特許請求の範囲】
【請求項１】
家具の下部に移動車輪を配設した家具移動装置において、前記移動車輪とで選択的に家具を支持する支持台を、複数のスクリューロッド及びナットにより昇降可能に設けるとともに、該スクリューロッド及びナットの一方にウォームホイールを付設して、該ウォームホイールと歯合するウォームを配設し、かつ、傘歯車を介して連動して回動する複数の連結ロッドを隣接するウォーム間に架設して、該連結ロッドによりウォームを回動させるようにしたことを特徴とする家具移動装置。
【請求項２】
少なくとも１つのウォームを、外部から操作できるように構成したことを特徴とする請求項１記載の家具移動装置。
【発明の詳細な説明】
【０００１】
【発明の属する技術分野】
本発明は、家具を軽快に移動できるようにした家具移動装置に関し、特に、家具を水平状態に保ちながら移動や設置を行うとともに、設置したときの家具の天井位置を上昇させることにより、部屋の壁面に形成した凹所の天井と家具の天井の高さが一致するように家具を収納することができる家具移動装置に関するものである。
【０００２】
【従来の技術】
従来、家具を簡易に移動させる家具移動装置として、昇降可能な複数の移動車輪を家具の台座下部に組み込み、この移動車輪を１つずつ操作し、家具を持ち上げて移動させるようにした装置が提案されている。
【０００３】
【発明が解決しようとする課題】
ところで、上記従来の家具移動装置においては、複数の移動車輪を個々に操作する必要があることから、移動時に手数を要するとともに、持ち上げが不均一になり易く、家具が傾いて危険な事態を招くという問題があった。
また、部屋の壁面に家具の大きさに合わせた凹所を形成し、この凹所の天井と家具の天井の高さが一致するように家具を収納するシステムがある。
このシステムでは、スペースの有効利用と美観の向上を図るとともに、地震時の家具の転倒を防止することができるが、上記従来の家具移動装置では、移動時に家具を持ち上げ、移動終了時に家具を降ろすことから、設置したときには家具の天井位置が必然的に下がることになり、その結果、上記のようなシステムにおいて、凹所の天井と家具の天井の高さが一致するように家具を収納することは不可能であった。
【０００４】
本発明は、上記従来の家具移動装置が有する問題点に鑑み、家具を水平状態に保ちながら移動や設置を行うとともに、設置したときの家具の天井位置を上昇させることにより、部屋の壁面に形成した凹所の天井と家具の天井の高さが一致するように家具を収納することができる家具移動装置を提供することを目的とする。
【０００５】
【課題を解決するための手段】
上記目的を達成するため、本発明の家具移動装置は、家具の下部に移動車輪を配設した家具移動装置において、前記移動車輪とで選択的に家具を支持する支持台を、複数のスクリューロッド及びナットにより昇降可能に設けるとともに、該スクリューロッド及びナットの一方にウォームホイールを付設して、該ウォームホイールと歯合するウォームを配設し、かつ、傘歯車を介して連動して回動する複数の連結ロッドを隣接するウォーム間に架設して、該連結ロッドによりウォームを回動させるようにしたことを特徴とする。
【０００６】
この家具移動装置は、家具に配設した移動車輪とで選択的に家具を支持する支持台を、複数のスクリューロッド及びナットにより昇降可能に設けるとともに、このスクリューロッド及びナットの一方にウォームホイールを付設して、このウォームホイールと歯合するウォームを配設し、かつ、連動して回動する複数の連結ロッドを隣接するウォーム間に架設して、この連結ロッドによりウォームを回動させることから、全てのスクリューロッド及びナットを同時に作動させることができ、これにより、家具を水平状態に保ちながら支持台を上昇させ、移動車輪で移動させることができる。
また、前記連結ロッドを傘歯車を介して連動させることにより、簡単な構造で連結ロッドを連動して回動させることができる。
そして、この家具移動装置では、移動終了時に支持台を下降させ、この支持台により家具を持ち上げるように設置できることから、設置したときの家具の天井位置を上昇させることができ、これにより、部屋の壁面に形成した凹所の天井と家具の天井の高さが一致するように家具を収納し、地震時等の家具の転倒を防止することができる。
【０００７】
また、少なくとも１つのウォームを、外部から操作できるように構成することができる。
【０００８】
これにより、家具外部からの操作にて簡単に家具を昇降させることができる。
【０００９】
【発明の実施の形態】
以下、本発明の家具移動装置の実施の形態を、図面に基づいて説明する。
【００１０】
図１〜図１０に、本発明の家具移動装置の一実施例を示す。
この家具移動装置は、家具Ｆの下部に、キャスター等からなる移動車輪４を複数配設するとともに、これら移動車輪４とで選択的に家具Ｆを支持する支持台Ａを、複数のスクリューロッド７及びナット１により昇降可能に設けている。
そして、この家具移動装置は、スクリューロッド７にウォームホイール６を固定して、このウォームホイール６と歯合するウォーム５を配設するとともに、連動して回動する複数の連結ロッドＬを隣接するウォーム５間に架設して、この連結ロッドＬにより各ウォーム５を回動させるようにしている。
なお、スクリューロッド７とナット１の位置を逆転して、スクリューロッド７を移動車輪４側に固定した場合は、ナット１にウォームホイール６を固定することができる。
【００１１】
移動車輪４は、図４〜図５及び図１０に示すように、通常、家具Ｆの下部に配設する台座Ｂの荷重支持部、例えば、台座Ｂの四隅とその中間位置とにキャスターとして配設されている。
また、台座Ｂの下には、台座Ｂより一回り大きな平板状の支持台Ａが配設されているが、移動車輪４は、この支持台Ａに穿設された透孔Ａ１を介して床に接している。
【００１２】
支持台Ａは、図１〜図３に示すように、台座Ｂより一回り大きな剛性を有する平板状のものからなり、その前後の端部には、台座Ｂの前後の側板と内外に重なるように前後の側板がそれぞれ立設されている。
そして、この支持台Ａは、移動車輪４を挿通させる透孔Ａ１を形成することにより、支持台Ａの昇降を移動車輪４と干渉することなく行っている。
【００１３】
スクリューロッド７及びナット１は、図１〜図３に示すように、支持台Ａの四隅に設けられており、支持台Ａに固定された昇降台３と台座Ｂに固定された昇降台３との間に配設されている。
ナット１には、スクリューロッド７が螺合するとともに、このスクリューロッド７の上部には、ウォームホイール６が一体に回動するように固定されており、また、ウォームホイール６は、上部の軸６１が、基台２の軸孔２１に回動可能に嵌合されている。
また、昇降台３は、基台２に対し、ガイドロッド８に沿って離間方向に移動可能に設けられている。
これにより、ウォーム５を介して、ウォームホイール６が回動することにより、スクリューロッド７とナット１の作用によって、昇降台３と移動車輪４とがガイドロッド８に導かれて正確に定められた位置で昇降することになる。
なお、スクリューロッド７は、ウォームホイール６のボス部６２に形成したねじ部にスクリューロッド７の基端部を嵌合し、固定ねじ６３にて固定して、ウォームホイール６と一体としている。
【００１４】
また、ウォーム５は、図８〜図９に示すように、両端に突設する軸５１、５２を、基台２の対向する側壁２２に同一軸心となるように形成した軸孔２３、２４に挿入して回動可能に支持されている。
なお、ウォーム５のねじの方向は、隣接するもの同士では異なるように設定されている。
【００１５】
連結ロッドＬは、前後又は左右に隣接するウォーム５間にそれぞれ架設され、１つのウォーム５を支持台Ａの外部から操作することにより、連結ロッドＬを介して全てのスクリューロッド７及びナット１が、同時に昇降動作をするようになっている。
この場合、動力伝達経路の最初と最終位置に相当するウォーム５においては、図９に示すように、連結ロッドＬは１本のみが配設されるが、動力伝達経路の途中に配設する移動車輪４においては、図８に示すように、２本の連結ロッドＬが略直交するように配設されている。
この略直交する２本の連結ロッドＬの先端部には、傘歯車９１、９２が設けられており、この傘歯車９１、９２を歯合させることにより、２本の連結ロッドＬが連動して回転するようになっている。
なお、連結ロッドＬは、一端に傘歯車を固定した軸５２、９３と、この軸５２、９３の他端に、連結具Ｊを介して連結された六角ロッド等の多角形状のロッドとにより構成されている。
【００１６】
ガイドロッド８は円柱状のものからなり、このガイドロッド８を複数本を用い、基台２の四隅に穿設したガイドロッド嵌挿孔２６内に固定することにより、ガイドロッド８が下向きに突設するようにし、ガイドロッド８の先端側の部分を、昇降台３の四隅に穿設したガイド孔３２内に、摺動可能に挿通することにより、昇降台３をガイドロッド８の長手方向に沿って正確に移動できるようにしている。
【００１７】
また、ウォーム５のいずれか１つを、支持台Ａの外部より回動操作を行えるように、回動操作ハンドル等の操作具（図示省略）を挿入できる操作孔（図示省略）を、特に限定するものではないが、ウォーム５の軸２３に形成する。
そして、支持台Ａや台座Ｂの側板にも操作具差込用の長溝（図示省略）等を穿設する。
【００１８】
次に、この家具移動装置の動作について説明する。
先ず、図４に示すように、支持台Ａが移動車輪４より下降した設置状態の家具移動装置に対し、任意の操作具をウォーム５の軸等の操作孔に挿入し、外部からウォーム５の回動操作をする。
【００１９】
このように、操作具にて１つのスクリューロッド７及びナット１のウォーム５を正方向に回転すると、先ず、このウォーム５に噛合するウォームホイール６が回転し、このウォームホイール６が固定されたスクリューロッド７がナット１に対し回転して、昇降台３が上昇する。
同時に、操作具にて操作されたウォーム５の回転は、連結ロッドＬを介して全スクリューロッド７及びナット１のウォーム５に伝達され、全昇降台３が等量分だけ上昇する。
これにより、支持台Ａが平行状態を保ちながら上昇し、さらに支持台Ａが上昇することにより、図５に示すように、移動車輪４が相対的に下がって家具Ｆを支持する状態となり、移動車輪４による家具Ｆの移動が可能となる。
【００２０】
そして、所定位置に移動した後、家具Ｆを設置する場合は、１つのスクリューロッド７及びナット１のウォーム５を反対方向に回転させると、先ず、このウォーム５に噛合するウォームホイール６が回転し、このウォームホイール６が固定されたスクリューロッド７がナット１に対し回転して、昇降台３が下降方向に移動する。
同時に、操作具にて操作されたウォーム５の回転は、連結ロッドＬを介して全スクリューロッド７及びナット１のウォーム５に伝達され、全昇降台３が等量分だけ下降する。
これにより、昇降台３に固定された支持台Ａが下降して床面に接地し、さらに支持台Ａが平行状態を保ちながら下降することにより、図４に示すように、家具Ｆが支持台Ａにより持ち上げられるようになり、家具Ｆの設置が終了する。
【００２１】
このように、本実施例の家具移動装置では、家具Ｆに配設した移動車輪４とで選択的に家具Ｆを支持する支持台Ａを、複数のスクリューロッド７及びナット１により昇降可能に設けるとともに、このスクリューロッド７及びナット１の一方にウォームホイール６を付設して、このウォームホイール６と歯合するウォーム５を配設し、かつ、連動して回動する複数の連結ロッドＬを隣接するウォーム５間に架設して、この連結ロッドＬによりウォーム５を回動させるようにしたことから、全てのスクリューロッド７及びナット１を同時に作動させることができ、これにより、家具Ｆを水平状態に保ちながら支持台Ａを上昇させ、移動車輪４で移動させることができる。
そして、この家具移動装置では、移動終了時に支持台Ａを下降させ、この支持台Ａにより家具Ｆを持ち上げるように設置できることから、設置したときの家具Ｆの天井位置を上昇させることができ、これにより、部屋の壁面に形成した凹所の天井と家具Ｆの天井の高さが一致するように家具Ｆを収納し、地震時等の家具Ｆの転倒を防止することができる。
【００２２】
以上、本発明の家具移動装置について、その一実施例を説明したが、本発明の家具移動装置は、上記実施例の構成に限定されるものではなく、例えば、家具Ｆと台座Ｂは、分離可能とするほか、一体的に構成することもできる等、その趣旨を逸脱しない範囲において適宜に変更することが可能である。
【００２３】
【発明の効果】
本発明の家具移動装置によれば、家具に配設した移動車輪とで選択的に家具を支持する支持台を、複数のスクリューロッド及びナットにより昇降可能に設けるとともに、このスクリューロッド及びナットの一方にウォームホイールを付設して、このウォームホイールと歯合するウォームを配設し、かつ、連動して回動する複数の連結ロッドを隣接するウォーム間に架設して、この連結ロッドによりウォームを回動させることから、全てのスクリューロッド及びナットを同時に作動させることができ、これにより、家具を水平状態に保ちながら支持台を上昇させ、移動車輪で移動させることができる。
また、連結ロッドを傘歯車を介して連動させることにより、簡単な構造で連結ロッドを連動して回動させることができる。
そして、この家具移動装置では、移動終了時に支持台を下降させ、この支持台により家具を持ち上げるように設置できることから、設置したときの家具の天井位置を上昇させることができ、これにより、部屋の壁面に形成した凹所の天井と家具の天井の高さが一致するように家具を収納し、地震時等の家具の転倒を防止することができる。
【００２４】
そして、少なくとも１つのウォームを、外部から操作できるように構成することより、家具外部からの操作にて簡単に家具を昇降させることができる。
【図面の簡単な説明】
【図１】  本発明の家具移動装置の一実施例を示す断面正面図である。
【図２】  同実施例の家具移動装置を示す一部断面側面図である。
【図３】  同家具移動装置の支持台を示し、（Ａ）は正面図、（Ｂ）は平面図、（Ｃ）は側面図である。
【図４】  同家具移動装置の家具設置時の状態を示す断面図である。
【図５】  同家具移動装置の家具移動時の状態を示す断面図である。
【図６】  基台を示し、（Ａ）は底面図、（Ｂ）は正面図、（Ｃ）は左側面図、（Ｄ）は右側面図である。
【図７】  昇降台を示し、（Ａ）は平面図、（Ｂ）は正面図、（Ｃ）は側面図である。
【図８】  基台を示し、（Ａ）は家具の右後の基台を示す平面図、（Ｂ）は家具の右前の基台を示す平面図である。
【図９】  基台を示し、（Ａ）は家具の左後の基台を示す平面図、（Ｂ）は家具の左前の基台を示す平面図である。
【図１０】  移動車輪を示し、（Ａ）は正面図、（Ｂ）は側面図、（Ｃ）は底面図、（Ｄ）は平面図である。
【符号の説明】
Ａ    支持台
Ｂ    台座
Ｆ    家具
Ｌ    連結ロッド
１    ナット
２    基台
３    昇降台
４    移動車輪
５    ウォーム
６    ウォームホイール
７    スクリューロッド
８    ガイドロッド
９１、９２  傘歯車
【図１】
0003679755.tif 000002
【図２】
0003679755.tif 000003
【図３】
0003679755.tif 000004
【図４】
0003679755.tif 000005
【図５】
0003679755.tif 000006
【図６】
0003679755.tif 000007
【図７】
0003679755.tif 000008
【図８】
0003679755.tif 000009
【図９】
0003679755.tif 000010
【図１０】
0003679755.tif 000011